(57)【特許請求の範囲】
【請求項１】
口腔内の上顎および下顎の歯および歯茎に押し当てその型を写し取るための印象材を保持する上顎用トレー本体および下顎用トレー本体と該トレー本体の後部の底部側から後方に延びた帯板状の把持部とからなる歯科印象用の上顎用トレーおよび下顎用トレーにおいて、上顎用トレー本体の底部の左側部および右側部並びに後部の３箇所に分割して下向き凸状台を形成し、かつ、下顎用トレー本体の底部の左側部および右側部並びに後部の３箇所に分割して上向き凸状台を形成し、上顎用トレー本体の下向き凸状台と下顎用トレー本体の上向き凸状台はそれぞれ互いの台面部を当接して口腔内で一体に配設可能であることを特徴とする歯科印象用トレー。
【請求項２】
口腔内の上顎および下顎の歯および歯茎に押し当てその型を写し取るための印象材を保持する上顎用トレー本体および下顎用トレー本体と該トレー本体の後部の底部側から後方に延びた帯板状の把持部とからなる歯科印象用の上顎用トレーおよび下顎用トレーにおいて、上顎用トレー本体の底部の左側部および右側部並びに後部にＵ字状の下向き凸状台を形成し、該Ｕ字状の下向き凸状台の側部に呼吸用の貫通孔を設け、かつ、下顎用トレー本体の底部の左側部および右側部並びに後部にＵ字状の上向き凸状台を形成し、上顎用トレー本体のＵ字状の下向き凸状台と下顎用トレー本体のＵ字状の上向き凸状台はそれぞれ互いの台面部を当接して口腔内で一体に配設可能であることを特徴とする歯科印象用トレー。
【請求項３】
上顎用トレー本体の底部の下向き凸状台は上顎用トレー本体の底部の左右側部および後部に形成の嵌合穴に下向きの着脱凸状台の上面に設けた嵌合突起を着脱自在に嵌合してなるものであり、下顎用トレー本体の底部の上向き凸状台は下顎用トレー本体の底部の左右側部および後部に形成の嵌合穴に上向きの着脱凸状台の下面に設けた嵌合突起を着脱自在に嵌合してなるものであることを特徴とする請求項１または２に記載の歯科印象用トレー。
【請求項４】
後方に延びた把持部は凸状台の後部に形成の取付孔に着脱自在に形成されていることを特徴とする請求項１〜３のいずれか１項に記載の歯科印象用トレー。
【発明の詳細な説明】
【０００１】
【発明の属する技術分野】
本発明は、口腔内の歯や歯茎の型を取るための印象材を保持する歯科印象用トレー、特に上下の型を同時に採取する総入れ歯用の歯科印象用トレーに関するものである。
【０００２】
【従来の技術】
歯科治療において、義歯、特に上下の総入れ歯等を製作するためには口腔内の歯や歯茎（以下、「歯茎」という。）の型の印象を採取する必要があり、特に作製された上下の入れ歯のかみ合わせを良好にするためには、口腔内で上下の型の印象を同時に採取する必要がある。このように歯茎の印象を採取するには、一般的に粘性および流動性を有しかつ短時間で硬化する印象材を歯科印象用トレーに盛り、この歯科印象用トレーを口腔内に挿入し、歯科印象用トレー上の印象材を上顎あるいは下顎の歯茎に押し当て、歯茎の印象を写し取る方法で行われる。この印象材としては、所定比率で混水したアルジネート（アルギン酸塩）の粉末を練って餅状にしたものや、その他シリコンゴムや寒天などが使用されている。
【０００３】
従来の一般的な歯科印象用トレーは、図に示すように、印象材を保持するためのトレー本体と把持部からなる。このトレー本体は、半楕円状の板体からなり、この半楕円外周部を上方に湾曲させ、かつ、上顎用のトレーの場合は半割楕円中央部を上方に凸状に湾曲させ、下顎用のトレーの場合は舌の逃げ部を設けるために半割楕円中央部をカットして除き、歯茎や歯列の形状に概ね対応しかつ印象材を保持できるトレーから形成されている。
【０００４】
トレー本体には通常小さな貫通した係止孔が多数穿設され、この係止孔への印象材の流入および硬化によって、硬化後の印象材を歯茎から取り外す時に、トレー本体と印象材が剥離しないようにされている。一方、把持部は帯板状体であって、トレー本体の底部から後方にかつ水平に突設されている。なお、図に示す歯科印象用トレーは全顎用かつ上記した上顎用のものである。
【０００５】
従来、このような歯科印象用トレーを用いて歯茎の印象を採取するときには、印象材を歯科印象用トレーに詰めて載せ、この歯科印象用トレーを口腔内に挿入し、歯科印象用トレー上の印象材を歯茎に押し付け、歯科印象用トレーを印象材が硬化するまでの所定時間、通常４〜５分動かないように保持する必要がある。ところが、この場合、患者は口を開けた状態で口を閉じることができず、苦痛でよだれがでて垂れてくる。女性患者にはよだれを垂れることは恥ずかしく精神的苦痛を感じる。
【０００６】
さらに上下の総入れ歯を作製する場合、従来は上顎用のトレーあるいは下顎用のトレーをそれぞれ別個に口腔中に装入して印象を採取する。一方で、上下の顎の咬合高径を顔の外部からノギスなどで測定して、得られたデーターで採取した上下の印象の高さ調節をしている。このため手数が掛かり効率が悪い。さらに、印象採取時あるいは咬合高径の測定時に患者が緊張すると、患者の顎の咬筋が収縮することとなり顎の筋肉がつれて形状が変わることとなる。そのため歯茎の正確な印象を得ることが困難であり、相当の熟練を要した。
【０００７】
【発明が解決しようとする課題】
本発明は、上記の従来の課題を解決し、患者の口腔内に挿入して歯科印象用トレー上の印象材を歯茎に押し付けた状態で硬化するまで安定して静止でき、患者に負担をかけることなく、適当な圧力がかかり、かつ正確な咬合高径が得られる歯科印象用トレー、特に上下の歯茎の印象を同時に採取することのできる歯科印象用トレーを提供することである。
【０００８】
【課題を解決するための手段】
上記課題を解決するための本発明の手段は、請求項１の発明では、口腔内の上顎および下顎の歯および歯茎に押し当てその型を写し取るための印象材を保持する上顎用トレー本体および下顎用トレー本体と該トレー本体の後部の底部側から後方に延びた帯板状の把持部とからなる歯科印象用の上顎用トレーおよび下顎用トレーにおいて、上顎用トレー本体の底部の左側部および右側部並びに後部の３箇所に分割して下向き凸状台を形成し、かつ、下顎用トレー本体の底部の左側部および右側部並びに後部の３箇所に分割して上向き凸状台を形成し、上顎用トレー本体の下向き凸状台と下顎用トレー本体の上向き凸状台はそれぞれ互いの台面部を当接して口腔内で一体に配設可能であることを特徴とする歯科印象用トレーである。
【０００９】
請求項２の発明では、口腔内の上顎および下顎の歯および歯茎に押し当てその型を写し取るための印象材を保持する上顎用トレー本体および下顎用トレー本体と該トレー本体の後部の底部側から後方に延びた帯板状の把持部とからなる歯科印象用の上顎用トレーおよび下顎用トレーにおいて、上顎用トレー本体の底部の左側部および右側部並びに後部にＵ字状の下向き凸状台を形成し、該Ｕ字状の下向き凸状台の側部に呼吸用の貫通孔を設け、かつ、下顎用トレー本体の底部の左側部および右側部並びに後部にＵ字状の上向き凸状台を形成し、上顎用トレー本体のＵ字状の下向き凸状台と下顎用トレー本体のＵ字状の上向き凸状台はそれぞれ互いの台面部を当接して口腔内で一体に配設可能であることを特徴とする歯科印象用トレーである。
【００１０】
請求項３の発明では、上顎用トレー本体の底部の下向き凸状台は上顎用トレー本体の底部の左右側部および後部に形成の嵌合穴に下向きの着脱凸状台の上面に設けた嵌合突起を着脱自在に嵌合してなるものであり、下顎用トレー本体の底部の上向き凸状台は下顎用トレー本体の底部の左右側部および後部に形成の嵌合穴に上向きの着脱凸状台の下面に設けた嵌合突起を着脱自在に嵌合してなるものであることを特徴とする請求項１または２の手段の歯科印象用トレーである。
【００１１】
請求項４の発明では、後方に延びた把持部は凸状台の後部に形成の取付孔に着脱自在に形成されていることを特徴とする請求項１〜３のいずれか１項の手段の歯科印象用トレーである。
【００１２】
以下に上述の手段に対する作用を順次説明する。請求項１に記載の歯科印象用トレーでは、上顎用トレー本体の底部の左側部および右側部並びに後部の３箇所に分割して下向き凸状台を形成し、かつ、下顎用トレー本体の底部の左側部および右側部並びに後部の３箇所に分割して上向き凸状台を形成し、上顎用トレー本体の下向き凸状台と下顎用トレー本体の上向き凸状台はそれぞれ互いの台面部を当接して口腔内で一体に配設可能であるものとしたので、総入れ歯用に同時に上下顎用のトレー本体を口腔に装入するとき、上下の凸状台の当接により適宜高さが得られて口腔内で正確な咬合高径を得ることができる。特に高さが不足する時は上下の対向して当接する凸状台の間にパラフィンワックス板を挿入することで容易に高さ調節ができる。高さを調節することで患者の顎を楽にさせることができる。さらに、上下顎用トレーを同時に口腔に入れて印象を採ることが可能であるので、短時間で上下の印象が採取でき効率的である。
【００１３】
さらに、請求項１に記載の歯科印象用トレーでは、上顎用トレー本体の底部の下向きの凸状台を上顎用トレー本体の底部の左側部および右側部並びに後部の３箇所に分割して設け、下顎用トレー本体の底部の上向き凸状台は下顎用トレー本体の底部の左側部および右側部並びに後部の３箇所に分割して設けているので、上下の凸状台の間に空間が形成されることとなり、印象採得中に舌を動かす余地ができ、さらに口からの呼吸がし易くなり、鼻で息するのを助ける。
【００１４】
請求項２に記載の歯科印象用トレーでは、凸状台はトレー本体底部の左右側部および後部にＵ字状に設けられているので、安定的に上下の凸状台を当接することができ、口腔内で正確な咬合高径を得ることができる。この場合、呼吸を助けるためにＵ字状凸状部に呼吸用の貫通孔を設けているので、呼吸はし易くなっている。
【００１５】
請求項３に記載の歯科印象用トレーでは、上下の凸状台はトレー本体底部の左右側部および後部に形成した嵌合穴に着脱凸状台の上面に設けた嵌合突起を着脱自在に嵌合でき、高さの異なる着脱凸状台を用意しておけば患者の口腔内の咬合高径に合わせて取替えでき汎用性が高まることとなる。
【００１６】
請求項４に記載の歯科印象用トレーでは、トレー本体の後方に延びた把持部は凸状台の後部に形成した取付孔に把持部の先端を挿入して押し込むことで嵌合でき、引っ張ることにより抜き取ることができる着脱自在に形成しているので、医師が把持部を取り外して手で支持して操作することができ、また把持部を取り外して口腔中に装入した場合は、患者が口を閉じ用とするときに障害物がないので閉じやすく、従って、患者の顎に掛かる負担を減少することができ、結果的に正確な印象を採得することができる。
【００１７】
【発明の実施の形態】
以下に本発明の実施の形態を図面を参照して説明する。図１は本発明の歯科印象用トレーの上顎用トレーと下顎用トレーを組み合わせて示す斜視図である。図２は図１の歯科印象用トレーを凸状台側から見た平面図を示し、（ａ）は下顎用トレーで（ｂ）は上顎用トレーである。図３は図１の歯科印象用トレーの前方から見た図でそれぞれ把持部を外した（ａ）は上顎用トレー本体で（ｂ）は下顎用トレー本体である。図４は他の実施の形態の本発明の歯科印象用トレーの上顎用トレーと下顎用トレーを組み合わせて示す斜視図である。図５は他の実施の形態の歯科印象用トレーを凸状台側から見た平面図で、（ａ）は下顎用トレーを、（ｂ）は上顎用トレーを、（ｃ）は着脱自在の凸状台を示す。図６は他の実施の形態の（ａ）は歯科印象用トレーに着脱自在の凸状台を取り付ける前の状態で、（ｂ）は凸状台を取り付けた後の状態を示す斜視図である。
【００１８】
本発明の請求項１に係る発明の実施の形態の歯科印象用トレーは、口腔内の上顎および下顎の歯および歯茎に押し当てその型を写し取るために使用するものである。歯科印象用トレーの上顎用トレー１と下顎用トレー２は、型を採得するための印象材を保持する皿である上顎用トレー本体３および下顎用トレー本体４と、これらの上顎用トレー本体３または下顎用トレー本体４のそれぞれの後部７の底部５側から後方に延びた帯板状の把持部１１とからなっている。下顎用トレー本体４は上顎用トレー本体３と異なり中央部に舌が位置するために邪魔にならないように舌用空所１３となっている。この上顎用トレー１において、上顎用トレー本体３の底部５の左の側部６および右の側部６並びに後部７に下向きの凸状台８を形成している。他方下顎用トレー２において、下顎用トレー本体３の底部５の左の側部６および右の側部６並びに後部７に上向きの凸状台８を形成している。そして上顎用トレー本体３の下向きの凸状台８と下顎用トレー本体４の上向きの凸状台８はそれぞれ互いの台面部９、９を当接して口腔内で一体に配設可能となっている。
【００１９】
さらに、請求項１の手段の歯科印象用トレーの凸状台８において、上顎用トレー本体３の底部５に形成した下向きの凸状台８は上顎用トレー本体３の底部５の左の側部６および右の側部６並びに後部７の３箇所に分割して設けられている。さらに、下顎用トレー本体４の底部５に形成した上向き凸状台８は下顎用トレー本体４の底部５の左の側部６および右の側部６並びに後部７の３箇所に分割して設けられている。この場合、側部６の凸状台８と後部７の凸状台８の間は切欠き部１０となり空間となっている。したがって治療中に患者はこの切欠き部１０で呼吸を自由に行えるので長い時間に亘って歯科印象用トレーを口腔にしていても苦しくない。
【００２０】
本発明の請求項２に係る発明の実施の形態の歯科印象用トレーについて説明する。この歯科印象用トレーでは、上顎用トレー本体３の底部５に形成した下向きの凸状台８は上顎用トレー本体３底部５の左右の側部６、６および後部７にＵ字状凸状台１４として形成されている。さらに、下顎用トレー本体４の底部５の上向きの凸状台８は下顎用トレー本体４の底部５の左右の側部６、６および後部７にＵ字状凸状台として形成されている。この場合は図４に示すようにＵ字状凸状台１４の側部に呼吸用の貫通孔１８を設けることで、口腔中にこの歯科印象用トレーを挿入している場合に呼吸が楽になる。
【００２１】
本発明の請求項３に係る発明の実施の形態の歯科印象用トレーについて説明する。この歯科印象用トレーでは、請求項１または２の手段の歯科印象用トレーにおいて、上顎用トレー本体３の底部５の下向きの凸状台８は上顎用トレー本体３の底部５の左右の側部６、６および後部７に形成した複数個の嵌合穴１７…、１７に下向きの着脱凸状台１５の上面に設けた嵌合突起１６…、１６を着脱自在に嵌合し、下顎用トレー本体底部４の上向きの凸状台８は下顎用トレー本体４の底部５の左右の側部６、６および後部７に形成の複数個の嵌合穴１７…、１７に上向きの着脱凸状台１５の下面に設けた複数個の嵌合突起１６…、１６を着脱自在に嵌合して形成されている。そこで、高さの異なる着脱凸状台を用意しておけば患者の口腔内の咬合高径に合わせて取替えることができ歯科印象用トレーの汎用性が向上する。なお、請求項２に係る発明のものでは上下の凸状台８、８の間にこの様な着脱凸状台を使用しないが、この場合はパラフィンワックス板を上下の凸状台８、８の間に挿着することで多少の高さ調節は可能である。しかし、図２に示すように、左右側部６、６と後部７の３箇所に分割された凸状台８においてもその下面に嵌合穴１７を設けておくことにより、それぞれの凸状台８に合致した大きさで厚みの異なる数組の上面に上記嵌合穴１７に係合するダボである嵌合突起を有する着脱凸状台１５を用意しておくと、その時々の患者に適合したものとすることができる。また図５および図６に示すように、（ｃ）に示すＵ字状の着脱凸状台１５を用意すれば、（ａ）や（ｂ）に示す下顎用トレー２や上顎用トレー１に嵌着でき、厚みの異なる着脱凸状台１５を数種用意することで咬合高径を種々に変更できる。図６の（ａ）はＵ字状凸状台１４を有する上顎用トレー１にＵ字状の着脱凸状台１５を図の矢印の方向に嵌合突起１６により嵌合しようとする図で、（ｂ）は嵌合した後の上顎用トレー１である。
【００２２】
本発明の請求項に係る発明の実施の形態の歯科印象用トレーについて説明する。この歯科印象用トレーでは、請求項１〜３のいずれか１項の手段の歯科印象用トレーにおいて、後方に延びた把持部１１はその先端を凸状台８の後部に形成した把持部１１の先端と同一形状の大きさの取付孔１２に挿入して嵌合することができるようにしたもので、取り外すことも可能な着脱自在となっている。このようにすることで、この歯科印象用トレーでは、把持部１１を取り外した場合は、上顎用トレー本体３あるいは下顎用トレー本体４を直接指で把持して使用することとなる。また、口腔中に装着後に把持部１１をトレー本体から取り外すことで患者は口を閉じることができ、印象材が硬化するまでの時間、口を軽く閉じることができ咬筋を緊張させることがないので苦痛を覚えることがなく、安定して正確な印象型が採れる。
【００２３】
以上の歯科印象用トレーは、例えば図１〜３のものは印象材をトレーに盛ったときに印象材が食い込んで容易に抜けなくするための係止孔１９をトレーの適所に多数有するが、係止孔１９から出ると困る材料、例えば、シリコンゴム質の印象材を使用する場合は図４〜６に見られるようにトレーの器壁に係止孔１９を設けないものとする。
【００２４】
【発明の効果】
以上説明したように、本発明の歯科印象用トレーは、トレー本体の底部に分割したあるいはＵ字状とした凸状台を設け、この凸状台の高さを着脱凸状台で可変としたので、上下顎用の歯科印象用トレーを同時に口腔に装着して上下の印象型を同時に正確にとることができ、かつ患者毎に異なる咬合高径も容易に調節でき、さらに凸状台を分割台あるいはＵ字状の呼吸用の貫通孔を設けた分割台とするときは呼吸も容易にでき、さらに、把持部をトレー本体に着脱自在としたので、口腔に歯科印象用トレーを装着したときに、口を閉じることも可能になり患者に負担を掛けることがないので正確な印象型を採得できるなど、従来にない優れた効果を奏するものである。
【図面の簡単な説明】
【図１】本発明の歯科印象用トレーの上顎用トレーと下顎用トレーを組み合わせて示す斜視図である。
【図２】図１の歯科印象用トレーを凸状台側から見た平面図を示し、（ａ）は下顎用トレーで（ｂ）は上顎用トレーである。
【図３】図１の歯科印象用トレーの前方から見た図でそれぞれ把持部を外した（ａ）は上顎用トレー本体で（ｂ）は下顎用トレー本体である。
【図４】他の実施の形態の歯科印象用トレーをの上顎用トレーと下顎用トレーを組み合わせて示す斜視図である。
【図５】他の実施の形態の歯科印象用トレーを凸状台側から見た平面図で、（ａ）は下顎用トレーで（ｂ）は上顎用トレーで、（ｃ）は着脱自在の凸状台を示す。
【図６】他の実施の形態の（ａ）は歯科印象用トレーに着脱自在の凸状台を取り付ける前の状態、（ｂ）は凸状台を取り付けた後の状態を示す斜視図である。
【符号の説明】
１  上顎用トレー
２  下顎用トレー
３  上顎用トレー本体
４  下顎用トレー本体
５  底部
６  側部
７  後部
８  凸状台
９  台面部
１０  切欠き部
１１  把持部
１２  取付孔
１３  舌位置部
１４  Ｕ字状凸状台
１５  着脱凸状台
１６  嵌合突起
１７  嵌合穴
１８  呼吸用の貫通孔
１９  係止孔
【図１】
0003542544.tif 000002
【図２】
0003542544.tif 000003
【図３】
0003542544.tif 000004
【図４】
0003542544.tif 000005
【図５】
0003542544.tif 000006
【図６】
0003542544.tif 000007